(57)【要約】【課題】バックガード部を無くす、又は、バックガード部の高さを低くする、もしくは、カウンター部後側の厚みを減らした場合でも、カウンター部と洗面器との間の隙間により施工性がよく、且つ、隙間によるたわみを抑制できる洗面台を提供すること。  【解決手段】キャビネットと、前記キャビネットの上方に載置され、ボウル部及びカウンター部を有する洗面器と、を備えた洗面台において、前記キャビネットは、前記カウンター部の下面と当接する左右の側板と、前記左右の側板のそれぞれと連結している背板と、を有し、前記キャビネットの後方側において、前記背板の上面と前記カウンター部の下面とは一部当接しており、当接している箇所よりも左右方向の外側において、前記背板の上面と前記カウンター部の下面との間には、隙間が設けられている。【選択図】  図３
2018050901.tif 000002
【特許請求の範囲】
【請求項１】
キャビネットと、前記キャビネットの上方に載置され、ボウル部及びカウンター部を有する洗面器と、を備えた洗面台において、
前記キャビネットは、前記カウンター部の下面と当接する左右の側板と、前記左右の側板のそれぞれと連結している背板と、を有し、
前記キャビネットの後方側において、前記背板の上面と前記カウンター部の下面とは一部当接しており、当接している箇所よりも左右方向の外側において、前記背板の上面と前記カウンター部の下面との間には、隙間が設けられている
ことを特徴とする洗面台。
【請求項２】
前記洗面器は、洗浄水を吐出する水栓装置を有し、
前記水栓装置は、前記ボウル部後方で且つ前記カウンター部の後方に設けられ、前記カウンター部の下面から締結部材によって固定されており、
前記背板は、左右方向において前記水栓装置取り付け位置と重なる位置において、前記背板の上面から下方に切り欠かれた切欠部が形成されている
ことを特徴とする請求項１記載の洗面台。
【請求項３】
前記カウンター部は、
前記背板よりも硬い材料で形成されており、
下面から下方に突出して延設され、前記背板の上面と当接する突起部を有し、
前記突起部よりも左右方向の外側において、前記背板の上面と前記カウンター部の下面との間には、隙間が設けられている
ことを特徴とする請求項２記載の洗面台。
【請求項４】
前記水栓装置は、前記カウンター部後方から前記ボウル部上方まで前方に突出した吐水部を有し、
前記突起部は、前記背板の前面よりも前方側まで形成され、前記背板の上面と前後方向に線接触している
ことを特徴とする請求項３記載の洗面台。
【発明の詳細な説明】
【技術分野】
【０００１】
本発明は、ボウル部とカウンター部とを有する洗面器を有する洗面台に関する。
【背景技術】
【０００２】
従来、ボウル部とカウンター部とを有する洗面器がキャビネットの上方から載置される洗面台において、洗面器のカウンター部は、キャビネットの側板の上面と当接しており、キャビネットの背板の上面と洗面器のカウンター部の下面との間に隙間が設けられているものが開示されている（特許文献１参照）。
このような洗面台において、例えば、キャビネットに洗面器のカウンター部を固定するためにシリコン剤を塗布する際には、施工者は、カウンター部と背板との間の隙間からシリコン剤の容器を入れて、作業を行うことができる。そのため、施工者は、洗面器後方側の固定作業をするためにキャビネット内に体を入れて作業を行う必要がなく、且つ、ボウル部が施工の際に邪魔になることがないため、施工性がよかった。
【先行技術文献】
【特許文献】
【０００３】
【特許文献１】特開２０１４−１９６６０４号公報
【発明の概要】
【発明が解決しようとする課題】
【０００４】
このような洗面台においては、背板と洗面器のカウンター部との間に隙間があるため、カウンター部後方側に上方からの荷重がかかった場合、その荷重によりカウンター部がたわむ恐れがある。このたわみ抑制のために、従来の洗面台では、カウンター部後方側に設けたバックガード部の高さを高くし、カウンター部に十分な厚みを持たせ、カウンター部自身の剛性を高めていた。
しかしながら、バックガード部を無くす、又は、バックガード部の高さを低くする、もしくは、カウンター部の厚みを減らすことで、高級感を高めようとした場合には、カウンター部に十分な厚みを持たせたカウンター自身の剛性でカウンター部のたわみの抑制をすることができないため、カウンター部と背板との間に隙間を設けることができず、施工性が悪いという課題があった。
【０００５】
本発明は、上記問題を解決するためになされたもので、本発明の課題は、バックガード部を無くす、又は、バックガード部の高さを低くする、もしくは、カウンター部の厚みを減らした場合でも、カウンター部と洗面器との間の隙間により施工性がよく、且つ、隙間によるたわみを抑制できる洗面台を提供することである。
【課題を解決するための手段】
【０００６】
上記目的を達成するために、本請求項１に係る発明の洗面台によれば、キャビネットと、前記キャビネットの上方に載置され、ボウル部及びカウンター部を有する洗面器と、を備えた洗面台において、前記キャビネットは、前記カウンター部の下面と当接する左右の側板と、前記左右の側板のそれぞれと連結している背板と、を有し、前記キャビネットの後方側において、前記背板の上面と前記カウンター部の下面とは一部当接しており、当接している箇所よりも左右方向の外側において、前記背板の上面と前記カウンター部の下面との間には、隙間が設けられている。
【０００７】
本請求項１に係る発明の洗面台によれば、背板とカウンター部とが一部当接しているので、上方からの荷重によるカウンター部のたわみを抑制することができる。さらに、当接している箇所よりも左右外側において、背板の上面とカウンター部の下面との間には隙間が設けられているので、その隙間からシリコン剤の容器を挿入することで、キャビネットの後側の固定作業を簡単に行うことができる。
つまり、バックガード部を無くす、又は、バックガード部の高さを低くする、もしくは、カウンター部の厚みを減らした場合でも、カウンター部と洗面器との間の隙間により施工性がよく、且つ、隙間によるたわみを抑制できる。
なお、本発明においては、左右の側板のそれぞれと連結している背板の本体部分だけでなく、背板の本体部分の強度を高めるために背板の本体部分に接続された横桟なども、本発明における「背板」に含まれるものと定義する。
【０００８】
本請求項２に係る発明の洗面台によれば、前記洗面器は、洗浄水を吐出する水栓装置をさらに有し、前記水栓装置は、前記ボウル部後方で且つ前記カウンター部の後方に設けられ、前記カウンター部の下面から締結部材によって固定されており、前記背板は、左右方向において前記水栓装置取り付け位置と重なる位置において、前記背板の上面から下方に切り欠かれた切欠部が形成されている
【０００９】
本請求項２に係る発明の洗面台によれば、左右方向において水栓取付け位置と重なる位置に切欠部が設けられているので、切欠部から工具を挿入し易く、水栓金具の取り付けを容易に行うことができ、施工性がよい。
また、ボウル部後方に水栓装置を配置した場合、水栓装置取付け位置の前にボウル部があり、キャビネットの前方側から水栓装置を取付けることが困難になるが、切欠部から水栓装置の取り付けを行うことができるため、ボウル部が水栓装置の取り付けの邪魔にならず、施工性がよい。
【００１０】
本請求項３に係る発明の洗面台によれば、前記カウンター部は、前記背板よりも硬い材料で形成されており、前記カウンター部の下面から下方に突出して延設され、前記背板の上面と当接する突起部を有し、前記突起部よりも左右方向の外側において、前記背板の上面と前記カウンター部の下面との間には、隙間が設けられている。
【００１１】
本請求項３に係る発明の洗面台によれば、突起部が、カウンター部の下面から下方に突出して延設され、背板の上面と当接している。つまり、突起部は、背板より硬い材料で形成されたカウンター部に設けられているので、荷重を受けても突起部が破損しにくく、たわみの抑制を継続的に行うことができる。
【００１２】
本請求項４に係る発明の洗面台によれば、前記水栓装置は、前記カウンター部後方から前記ボウル部上方まで前方に突出した吐水部を有し、前記突起部は、前記背板の前面よりも前方側まで形成され、前記背板の上面と前後方向に線接触している
【００１３】
本請求項４に係る発明の洗面台によれば、水栓装置の吐水部の先端に荷重がかかった場合、カウンター部に前後方向へのモーメントが働き、カウンター部が斜め下前方にたわもうとするが、突起部が背板の前面よりも前方側まで形成され、背板の上面と前後方向に線接触しているので、前後方向へのモーメントによる力を確実に背板の上面に伝えることができ、カウンター部のたわみを抑制することができる。
【発明の効果】
【００１４】
本発明によれば、バックガード部を無くす、又は、バックガード部の高さを低くする、もしくは、カウンター部の厚みを減らした場合でも、カウンター部と洗面器との間の隙間により施工性がよく、且つ、隙間によるたわみを抑制できる洗面台を提供することができる。
【図面の簡単な説明】
【００１５】
【図１】本発明の実施形態における洗面台の側面断面図である。
【図２】本発明の実施形態における洗面台の上面図である。
【図３】本発明の実施形態における洗面台の背面図である。
【図４】図３の突起部を示す拡大図である。
【図５】図１の突起部を示す拡大図である。
【発明を実施するための形態】
【００１６】
本発明にかかわる洗面台について、図を用いて説明を行う。
図１は、本発明の実施形態における洗面台の側面断面図である。図２は、本発明の実施形態における洗面台の上面図である。図３は、図１の背面図である。
【００１７】
図１〜図３に示すように、本実施形態にかかる洗面台１は、床面に設置されるキャビネット１００と、キャビネット１００の上部に載置される洗面器２００と、洗面器２００に取付けられる水栓装置３００と、を備える。
【００１８】
ここで、本願明細書において、「上方」、「下方」、「右方」および「左方」という記載は、洗面台１の前で洗面台１を見た人を基準とした上、下、右および左をそれぞれいう。また、本願明細書においては、洗面台１から、洗面台１の前に居る人へ向かう方向を「前方」方向とし、その逆方向を「後方」方向とする。
【００１９】
また、洗面台１の後方側は、図示しない壁に当接させて設置されている。なお、洗面器２００の上部には、ミラーキャビネットが取り付けられていてもよい。
【００２０】
キャビネット１００は、主に木製の板状部材を組み合わせた箱体であり、内部に空間を有するキャビネット本体１１０と、キャビネット本体１１０に対し進退可能な引き出し１２０と、を有する。
なお、本実施形態において、キャビネット１００は、引き出し１２０を有しているが、引き出し１２０の代わりに観音開きの扉を設けて、キャビネット本体１１０の内部空間を利用してもよい。
【００２１】
キャビネット本体１１０は、左右の側板１１１、側板１１１を繋ぐ幕板１１２、背板１１３を有しており、これらの板をネジ等で連結することによって、キャビネット本体１１０は、前方と、上方が開口した箱体が形成されている。
キャビネット本体１１０の上方の開口は、洗面器２００が載置されることで覆われている。
【００２２】
洗面器２００は、ボウル部２１０と、カウンター部２２０と、バックガード部２３０と、を有する。
洗面器２００は、キャビネット本体１１０よりも硬度が高い樹脂製の材料で形成されており、ボウル部２１０と、カウンター部２２０と、バックガード部２３０とが、一体で成形されている。
【００２３】
ボウル部２１０は、上面視において、略矩形状であり、ボウル部２１０の底面に排水口２１１が設けられている。
カウンター部２２０は、ボウル部２１０の周囲に設けられ、上面が平坦に形成されており、使用者が手を付いたり、物を置いたりすることができる。
また、ボウル部２１０後側のカウンター部２２０の中央には、水栓装置３００が取付けられている。
【００２４】
カウンター部２２０の下面は、キャビネット１００の側板１１１及び幕板１１２のそれぞれの上面とすべて当接している。
ここで、洗面台１の施工時において、キャビネット本体１１０の側板１１１及び幕板１１２とカウンター部２２０の当接箇所には、キャビネット本体１１０に洗面器２００のカウンター部２２０を固定するためのシリコン剤がキャビネット本体１１０の内側から塗布されている。
このシリコン剤により、キャビネット本体１１０に洗面器２００が接着されており、キャビネット本体１１０上に洗面器２００を固定している。
【００２５】
カウンター部２２０は、下面２２０ａから下方に突出して延設された突起部２２１を有する。
突起部２２１の詳細については、後述する。
【００２６】
突起部２２１よりも左右方向の外側において、背板１１３の上面１１３ｂとカウンター部２２０の下面２２０ａとの間には、隙間Ｓが形成されている。
隙間Ｓは、洗面台１の施工時において、シリコン剤をキャビネット本体内側から塗布する際に、シリコン剤の容器を差込むことができる。そのため、施工者は、キャビネット本体１１０の前方側から、キャビネット本体１１０に体を入れて、手の届きにくいキャビネット本体１１０の後方側である側板１１１の後方側とカウンター部２２０との固定作業を行わなくてよい。つまり、施工者は、隙間Ｓからシリコン剤の容器を入れて、簡単にキャビネット本体１１０の後方側と洗面器２００との固定作業を行うことができる。
【００２７】
バックガード部２３０は、カウンター部２２０の後端から上方に延設されており、カウンター部２２０部と洗面台の後方側の壁との間に水栓装置３００から吐水された水が入り込むのを防ぐことができる。
また、バックガード部２３０は、従来のものよりも高さが低く形成されている。そのため、カウンター部２２０の後方の厚みが従来よりも薄く、カウンター部２２０の見た目を高級感のあるものにすることができる。
なお、カウンター部２２０の高級感を高めるため、カウンター部２２０にバックガード部２３０を形成しなくてもよい。
【００２８】
水栓装置３００は、水栓本体３１０と、吐水部３２０と、を有する。水栓装置３００は、水栓本体３１０に図示しないセンサが設けられており。使用者が吐水部３２０に手をかざすと吐水が自動で行われる。
なお、本実施形態において、水栓装置３００は、センサによって、自動で吐水が行われるようになっているが、センサの代わりに水栓装置３００に操作レバーをを設けて手動で吐水が行われるようにしてもよい。
水栓本体３１０は、カウンター部２２０から上方に立ち上げられ、内部に図示しない洗浄水の流路と、流路の図示しない開閉弁とを有する。
水栓本体３１０は、一端は給水源に接続され、一端は吐水部３２０と接続されている。
吐水部３２０は、水栓本体３１０の上端に設けられ、水栓本体３１０からボウル部２１０上方まで、前方に突出している。
【００２９】
また、水栓装置３００は、カウンター部２２０の図示しない取付孔に挿入され、カウンター部２２０の下面から締結部材３３０によって、カウンター部２２０に固定されている。
【００３０】
ここで、背板１１３には、その上部の一部が下方に切り欠かれた切欠部１１３ａが形成されている。
切欠部１１３ａは、水栓本体３１０をカウンター部２２０に固定する締結部材３３０の位置と左右方向の位置とが重なる位置に形成されている。そのため、施工者は、後方側から工具及び手を簡単にキャビネット本体１１０内に入れることができ、締結部材３３０を締めて、水栓本体３１０をカウンター部２２０に簡単に固定することができる。
【００３１】
次に、図３〜図５を用いて、突起部２２１についての詳細な説明を行う。
図４は、図３の突起部を示す拡大図である。図５は、図１の突起部を示す拡大図である。
【００３２】
図３、４にしめすように、突起部２２１は、背板１１３の上面１１３ｂと当接している。
ここで、カウンター部２２０の下面２２０ａと背板１１３の上面１１３ｂとの間に空間が形成されている場合、洗面器２００は、キャビネット本体１１０の側板１１１、幕板１１２でしか支えられていない。そのため、図１、３に示すように、カウンター部２２０の後方に上方から荷重Ａが働いた場合、カウンター部２２０が従来よりも薄く成形されているため、荷重Ａによりカウンター部２２０の後方がたわむ恐れがある。
しかし、突起部２２１が、背板１１３の上面と当接していることで、荷重Ａを背板１１３で受けることができ、カウンター部２２０のたわみを抑制することができる。
【００３３】
また、突起部２２１は、左右方向に対して対照に２点設けられており、偏り無く荷重Ａを背板１１３の上面１１３ｂに伝えることができ、たわみを抑制することができる。
【００３４】
図５に示すように、側面視において、突起部２２１は、背板１１３の前面１１３ｃよりも前方側に長く形成されている。つまり、突起部２２１は、背板１１３の上面１１３ｂと点ではなく、前後方向に線接触している。
本発明においては、図１に示すように、水栓装置３００の吐水部３２０の先端に荷重Ｂがかかった場合、ボウル部２１０の形状が略矩形状のため、円形状のボウル部に比べて、前後方向へのモーメントがより強くカウンター部２２０に働くことになり、カウンター部２２０が斜め下前方にたわみやすくなっている。
その場合、突起部２２１が前後方向に線接触しているので、前後方向へのモーメントによる力を背板１１３に確実に伝えることができ、カウンター部２２０のたわみの発生を抑制することができる。
【００３５】
また、突起部２２１が背板１１３の前面よりも前方側まで形成されているので、洗面器の寸法誤差により、突起部２２１の位置が後方側にずれた場合でも、背板１１３の上面１１３ｂに突起部２２１を確実に当接させることができる。
【００３６】
図４、図５に示すように、突起部２２１は、左右方向より前後方向に長く形成されている。
【００３７】
以上、本発明の実施形態について説明したが、本発明はこれらの記述に限定されるものではない。例えば、突起部２２１が、カウンター部２２０の下面に設けられていたが、これに限らず、背板の上面の一部を突出させて突起部を形成してもよい。
また、突起部２２１は、背板の上面と当接しているが、背板１１３の上方に左右の側板１１１を繋ぐ横桟を設けて、突起部２２１をその横桟と当接させてもよい。即ち、背板１１３の強度を高めるために背板１１３に接続された横桟なども、本発明における「背板」に含まれるものと定義する。
【符号の説明】
【００３８】
１…洗面台  
１００…キャビネット
１１０…キャビネット本体
１１１…側板
１１２…幕板
１１３…背板
１１３ａ…切欠部
１１３ｂ…上面
１１３ｃ…前面
１２０…引き出し
２００…洗面器
２１０…ボウル部
２１１…排水口
２２０…カウンター部
２２０ａ…下面
２２１…突起部
２３０…バックガード部
３００…水栓装置
３１０…水栓本体
３２０…吐水部
Ｓ…隙間
Ａ…荷重
Ｂ…荷重
【図１】
2018050901.tif 000003
【図２】
2018050901.tif 000004
【図３】
2018050901.tif 000005
【図４】
2018050901.tif 000006
【図５】
2018050901.tif 000007